(57)【要約】      （修正有）【課題】カラオケマイクの消毒を効率的、かつ完璧に行えるようにしたカラオケマイクのＵＶ殺菌装置を提供する。【解決手段】充電器を兼ねるカラオケマイク３をセットする載置台を平面視長方形状を呈する直方体で形成し、この載置台の側面周囲に上方に延伸する囲い壁４を立設するとともに囲い壁の上端に天板を設けて載置台の上面にカラオケマイクを収納できる閉塞殺菌空間６を確保し、この載置台の長寸側の両端部に位置する囲い壁部分を半楕円筒形状囲い壁４Ａ、４Ｂとなし、対向する半楕円形状囲い壁の間を平板状囲い壁４Ｃでつなぎ、半楕円筒形状囲い壁の内面付近に一対のＵＶ殺菌灯７を配設し、天板の内面付近にもＵＶ殺菌灯を配設した。【選択図】図３
0003232067.tif 000002
【実用新案登録請求の範囲】
【請求項１】
充電器を兼ねるカラオケマイクをセットする載置台を平面視長方形状を呈する直方体で形成し、この載置台の側面周囲に上方に延伸する囲い壁を立設するとともに囲い壁の上端に天板を設けて載置台の上面にカラオケマイクを収納できる閉塞殺菌空間を確保し、この載置台の長寸側の両端部に位置する囲い壁部分を半楕円筒形状囲い壁となし、対向する半楕円形状囲い壁の間を平板状囲い壁でつなぎ、前記半楕円筒形状囲い壁の内面付近に一対のＵＶ殺菌灯を配設し、前記天板の内面付近にもＵＶ殺菌灯を配設したことを特徴とするカラオケマイクのＵＶ殺菌装置。
【請求項２】
囲い壁の内壁面を鏡面仕上げとしたことを特徴とする請求項１記載のカラオケマイクのＵＶ殺菌装置。
【考案の詳細な説明】
【技術分野】
【０００１】
本考案は、カラオケ店やスナックなどで使用するカラオケマイクのＵＶ殺菌装置に関する。
【背景技術】
【０００２】
カラオケ店やスナックに設置されているマイク（マイクロフォン）は、不特定多数の人が共用するものであるため集音部には多くの人の唾液が付着し、グリップ部には手や指の汗汚れが付着し、使用の都度布巾や濡れティッシュなどでこまめにふき取り清掃しているが大変手間のかかる問題があった。
また、人手によるふき取り清掃では、カラオケマイクに付着したコロナウイルス、雑菌の完全な殺菌ができないため、残ったコロナウイルス、雑菌などが繁殖して、その感染を拡大させたり不快臭を発生させるなどの衛生上の問題が起きていた。
【先行技術文献】
【特許文献】
【０００３】
【特許文献１】実用新案登録第３１１７００８号公報
【考案の概要】
【考案が解決しようとする課題】
【０００４】
従来からカラオケマイクの消毒を行う装置としてＵＶ殺菌装置が使われている場合がある。
しかしながら、このＵＶ殺菌装置は内部にＵＶ殺菌灯からなる光源を配置しているのであるが、その光源となるＵＶ殺菌灯が有効位置に配置されていなかったため、カラオケマイクを２本同時にＵＶ殺菌装置内に載置した際などには、ＵＶ殺菌装置内のカラオケマイクの対向内面部位付近に光源から発せられるＵＶ光線が届かないという事態が発生していた。
【０００５】
さらには、最も唾液の被害を受けやすいカラオケマイクの頭頂部付近もＵＶ光線照射の死角となることがあった。
そこで、この考案はＵＶ殺菌灯を有効な位置に配置して、上記の問題点を解消することを主たる目的とし、併せて前記ＵＶ殺菌装置の使い勝手を一層高めることを目的とする。
【課題を解決するための手段】
【０００６】
前記目的を解決するために請求項１記載の考案は、充電器を兼ねるカラオケマイクをセットする載置台を平面視長方形状を呈する直方体で形成し、この載置台の側面周囲に上方に延伸する囲い壁を立設するとともに囲い壁の上端に天板を設けて載置台の上面にカラオケマイクを収納できる閉塞殺菌空間を確保し、この載置台の長寸側の両端部に位置する囲い壁部分を半楕円筒形状囲い壁となし、対向する半楕円形状囲い壁の間を平板状囲い壁でつなぎ、前記半楕円筒形状囲い壁の内面付近に一対のＵＶ殺菌灯を配設し、前記天板の内面付近にもＵＶ殺菌灯を配設したことを特徴とするカラオケマイクのＵＶ殺菌装置である。
【０００７】
上記した本考案に係るカラオケマイクのＵＶ殺菌装置は、最も効果的な三ヶ所に設置したＵＶ殺菌灯から発せられるＵＶ光線がカラオケマイクの全表面に満遍なく照射されることとなる。
【０００８】
前記目的を解決するために請求項２記載の考案では、囲い壁の内壁面を鏡面仕上げとしたことを特徴とする請求項１記載のカラオケマイクのＵＶ殺菌装置である。
【０００９】
上記した本考案に係るカラオケマイクのＵＶ殺菌装置は、ＵＶ殺菌灯から発せられるＵＶ光線が閉塞殺菌空間内で効率的に反射して、カラオケマイクの全表面に満遍なく届いて一層殺菌効果を高めることとなる。
【考案の効果】
【００１０】
以上述べたように、請求項１及び請求項２に係るカラオケマイクのＵＶ殺菌装置は、載置台にセットしたカラオケマイクがコロナウイルス、雑菌などによって汚染されていても、ＵＶ殺菌灯から発せられるＵＶ光線が閉塞殺菌空間内の内壁で効率的に反射して、複数本のカラオケマイクなどを並置した場合であっても、互いのカラオケマイクで陰を作ることなく確実にＵＶ光線の照射を受けられることとなり、ＵＶ光線の照射が届かない部位はなくなり、その結果カラオケマイクの殺菌効果が飛躍的に向上するという優れた特徴がある。
【図面の簡単な説明】
【００１１】
【図１】本実施の形態のカラオケマイクのＵＶ殺菌装置の概略斜視図
【図２】本実施の形態のカラオケマイクのＵＶ殺菌装置の要部展開図
【図３】本実施の形態のカラオケマイクのＵＶ殺菌装置のＵＶ光線の進路説明図
【考案を実施するための形態】
【００１２】
以下添付図面に基づいて、本考案に係るカラオケマイクのＵＶ殺菌装置の一実施の形態を詳説する。
図１及び図２は、本実施の形態のカラオケマイクのＵＶ殺菌装置の概略斜視図を示し、載置台１の上面にはマイクセット穴２が穿設されており、このマイクセット穴２は通常二個程度が用意されている。
【００１３】
この載置台１は殺菌作用時には、カラオケマイク３の充電が行えるもので、平面視長方形状を呈する直方体で形成されている。
この載置台１の側面周囲に上方に延伸する囲い壁４を立設するとともに囲い壁の上端に天板５を設けて載置台１の上面にカラオケマイク３を収納できる閉塞殺菌空間６を確保している。
【００１４】
この載置台１の長寸側の両端部に位置する囲い壁部分を半楕円筒形状囲い壁４Ａ、４Ｂとなし、対向する半楕円形状囲い壁４Ａ、４Ｂの間を平板状囲い壁４Ｃでつなぎ、前記半楕円筒形状囲い壁４Ａ、４Ｂの内面付近に一対のＵＶ殺菌灯７，７を配設し、前記天板５の内面付近にもＵＶ殺菌灯７を配設している。
図中の符号８は、ＵＶ殺菌灯７から発せられるＵＶ光線を示している。
【００１５】
次いで本実施の形態のカラオケマイクのＵＶ殺菌装置の使用方法を説明する。
まず使用済みの（菌に汚染された）カラオケマイク３の下端部を載置台１のマイクセット穴２に差し込み、ＵＶ殺菌装置の天板５を囲い壁４の上端に被せて閉塞殺菌空間６を完成し、この状態でＵＶ殺菌装置の電源スイッチ（図示しない）をＯＮにすることでカラオケマイク３の殺菌を行う。
【００１６】
各ＵＶ殺菌灯７からは、ＵＶ光線８が発せられ、閉塞殺菌空間６内でＵＶ光線８が直進したり、あるいは囲い壁４の内壁面で反射（複数回反射する場合もある）して、カラオケマイク３の全表面に満遍なく照射される。
囲い壁４の内壁面を鏡面仕上げとすることで、ＵＶ光線８の反射効率を向上させることができ、殺菌効果の上昇が期待できる（図３参照）
上記したように、ＵＶ殺菌灯７が適切な位置に配設されているため、閉塞殺菌空間６内でＵＶ光線８の照射が届かない個所が完全になくなる結果となる。
【００１７】
なお、本考案のカラオケマイクのＵＶ殺菌装置は、本実施の形態に限定されることなく、本考案の目的の範囲内で自由に変更しうるものであり、本考案はそれらのすべてを包摂するものである。
このカラオケマイクのＵＶ殺菌装置は、カラオケマイクを使用する現場はもとより、日常生活のなかで広く利用できるものである。
【符号の説明】
【００１８】
１…載置台
２…マイクセット穴
３…カラオケマイク
４…囲い壁
４Ａ，４Ｂ…半楕円形状囲い壁
４Ｃ…平板状囲い壁
５…天板
６…閉塞殺菌空間
７…ＵＶ殺菌灯
８…ＵＶ光線
【図１】
0003232067.tif 000003
【図２】
0003232067.tif 000004
【図３】
0003232067.tif 000005